(57)【要約】【課題】    ヘッドバンドの長さ調整が容易であって、装置を自己の頭部に装着した後、頭部に適度な押圧力でフィットする耳あて保温装置を提供すること。【解決手段】    耳あて保温装置が、帯状体に形成した耳あてバンド部材１０と、耳あてバンド部材１０の自由端に設けた耳あてカップ部材２０とからなり、耳あてカップ部材２０に保温カバー３０を被覆する。耳あてバンド部材１０は、１本の主バンド体１０１と２本の副バンド体１０２を有しており、両者はバンドの長さ方向に取付け位置が調整可能に結合される。耳あてカップ部材２０の周縁部にヒンジ軸２００を設け、副バンド体１０２の先端にヒンジ軸連結環１３０を設ける。ヒンジ軸２００をヒンジ軸連結環１３０に挿入して両者を回動自在に結合する。耳あて保温装置が人の頭部に装着されたときは適度の押圧力で耳部にフィットさせることができる。【選択図】    図２
2012034938.tif 000002
【特許請求の範囲】
【請求項１】
耳あて保温装置が、帯状体に形成した耳あてバンド部材（１０）と、該耳あてバンド部材の自由端に設けた耳あてカップ部材（２０）とからなり、上記耳あてバンド部材がアーチ型であって人の頭部に合致する湾曲形状をしており、上記耳あてカップ部材が断面椀状に形成されていて保温カバー（３０）を被覆するものにおいて、上記耳あてバンド部材（１０）が、１本の主バンド体（１０１）と２本の副バンド体（１０２）を有しており、該副バンド体が上記主バンド体の自由端に長さ方向に摺動自在に設けられており、上記耳あてカップ部材（２０）の周縁部内側に上記副バンド体の先端と回動自在に結合するヒンジ軸（２００）を設け、上記副バンド体の先端にバンド部材の長手方向に直交する方向のヒンジ軸連結環（１３０）を設け、上記ヒンジ軸を上記ヒンジ軸連結環に挿入して両者を回動自在に結合し、上記耳あてカップ部材に部材を押し広げる方向の力が加わると、カップ部材の開口縁部は上記副バンド体に係合して回動が阻止され、該耳あてカップ部材にカップ部材を押し広げる力の反力が耳あてカップ部材に適度の押圧力となって発生し、当該耳あてカップ部材を人の耳部に適度な圧接力でフィットさせることを特徴とする耳あて保温装置。
【請求項２】
ヒンジ軸連結環（１３０）は、軸方向に沿うヒンジ軸挿入溝（１３１）が形成されていることを特徴とする請求項１に記載の耳あて保温装置。
【発明の詳細な説明】
【技術分野】
【０００１】
本発明は、耳あて保温装置に関しており、さらに詳しくは、耳あてカップ部材が人の耳部に適度な圧接力でフィットするようにした耳あて保温装置に関している。
【背景技術】
【０００２】
耳あて保温装置が、人の頭部形状に沿って湾曲しているヘッドバンドを有しており、ヘッドバンドの先端に設けた耳あてカップ部材に保温カバーを装着したものは古くから知られている。
【０００３】
耳あてカップ部材の人の頭部に対する圧接力は、湾曲しているバンド部材の弾性力によって発生するものであり、バンド部材の湾曲を小さくすれば人の耳部に対する圧接力を高めることができる。しかし、耳あてカップ部材の圧接力を高めるためにバンド部材の湾曲を小さくすると、耳あて保温装置は、耳当てカップ部材の締付け力が強くなるだけであって、保温装置を適度な力で耳部にフィットさせることができず、保温装置の装着時に不快感が生ずるといった問題がある。
【０００４】
ヘッドバンドの先端に耳あてカップ部材を設けた耳あて保温装置が、特許文献１，２に記載されている。
【特許文献１】特開平１０−７９９９４号公報
【特許文献２】特開２００２−１１０３６号公報
【０００５】
特許文献１の図２６に記載のヘッドバンド（可撓性バンド１８）は、バンド部材（半円状第１部材１５４，半円状第２部材１５６）の一方の先端にリング環（被包部分１５８，１６０）を設け、バンド部材の他端を相手方のリング環に挿入したものであり、いずれもバンド部材の先端に耳あてカップ部材（耳カップ１６４）を設けたものである。
【０００６】
また、特許文献２の図１，２に記載のヘッドバンド（１０）は、バンド部材（１１，１１ａ）の一方の先端にリング体（１２，１２ａ）を設け、バンド部材の他端を相手方のリング体に挿入したものであって、いずれのバンド部材の先端に耳あてカップ（１４）を設けたものである。
【０００７】
特許文献１及び２に記載のヘッドバンドは、バンドの湾曲を小さくすることにより、耳あてカップ部材が人の耳部を押圧する押圧力を高めることができるが、単にバンドの湾曲を小さくしただけでは、耳あてカップ部材の押圧力が高まるだけであって、耳あてカップ部材を適度な押圧力でフィットさせることが出来ないといった問題がある。
【発明の開示】
【発明が解決しようとする課題】
【０００８】
本発明が解決しようとする課題は、ヘッドバンドの先端に設けた耳あてカップ部材が、人の耳部に対し適度な圧接力によりフィットさせることができる耳あて保温装置を提供することである。
【課題を解決するための手段】
【０００９】
解決手段の第１は、耳あて保温装置が、帯状体に形成した耳あてバンド部材と、該耳あてバンド部材の自由端に設けた耳あてカップ部材とからなり、上記耳あてバンド部材がアーチ型であって人の頭部に合致する湾曲形状をしており、上記耳あてカップ部材が断面椀状に形成されていて保温カバーを被覆するものにおいて、上記耳あてバンド部材が、１本の主バンド体と２本の副バンド体を有しており、該副バンド体が上記主バンド体の自由端に長さ方向に摺動自在に設けられており、上記耳あてカップ部材の周縁部内側に上記副バンド体の先端と回動自在に結合するヒンジ軸を設け、上記副バンド体の先端にバンド部材の長手方向に直交する方向のヒンジ軸連結環を設け、上記ヒンジ軸を上記ヒンジ軸連結環に挿入して両者を回動自在に結合し、上記耳あてカップ部材に部材を押し広げる方向の力が加わると、カップ部材の開口縁部は上記副バンド体に係合して回動が阻止され、該耳あてカップ部材にカップ部材を押し広げる力の反力が耳あてカップ部材に適度の押圧力となって発生し、当該耳あてカップ部材を人の耳部に適度な圧接力でフィットさせることを特徴とするものである。
【００１０】
解決手段の第２は、解決手段の第１において、ヒンジ軸連結環は、軸方向に沿うヒンジ軸挿入溝が形成されていることを特徴とするものである。
【発明の効果】
【００１１】
請求項１は、耳あてカップ部材に副バンド体と回動自在に結合するヒンジ軸を設け、副バンド体の先端にバンド部材の長手方向に直交する方向のヒンジ軸連結環を設け、両者を回動自在に結合したものであって、耳あてカップ部材に部材を押し広げる方向の力が加わると、カップ部材の開口縁部は上記副バンド体に係合して回動が阻止され、該耳あてカップ部材にカップ部材を押し広げる力の反力が耳あてカップ部材に適度の押圧力となって発生するものであるから、耳あてカップ部材は、人の耳部に適度な圧接力でフィットさせることができることの効果がある。
【００１２】
請求項２は、ヒンジ軸連結環に、軸方向に沿うヒンジ軸挿入溝を形成したものであるから、耳あてカップ部材のヒンジ軸と副バンド体のヒンジ軸連結環の結合が容易となることの効果がある。
【図面の簡単な説明】
【００１３】
【図１】耳あて保温装置の全体を示す正面図。
【図２】耳あてバンド部材から耳あてカップ部材を外した状態を示す斜視図。
【図３】耳あてバンド部材の中央縦断面図。
【図４】耳あてバンド部材における主バンド体と副バンド体の結合部を示すものであって、Ａは耳あてバンド部材の正面視における左側先端位置を示す斜視図、Ｂは同位置における主バンド体と副バンド体の結合部を示す断面図。
【図５】耳あてバンド部材における主バンド体と副バンド体の結合部を示すものであって、Ａは耳あてバンド部材の正面視における右側先端位置を示す斜視図、Ｂは同位置における主バンド体と副バンド体の結合部を示す断面図。
【図６】耳あてバンド部材における主バンド体と副バンド体の結合部を示す断面図。
【図７】耳あてバンド部材の先端位置と耳あてカップ部材を示す斜視図。
【図８】耳あてバンド部材と耳あてカップ部材の結合状態を示す断面図。
【発明を実施するための形態】
【００１４】
図１において、耳あて保温装置１は、帯状体に形成された耳あてバンド部材１０と該耳あてバンド部材１０の自由端に設けた耳あてカップ部材２０とからなり、耳あてバンド部材１０が、アーチ型形状であって、人の頭部形状に合致する湾曲形状に形成されており、また、耳あてカップ部材２０が、断面椀状に形成されており、布製の保温カバー３０を被覆するものである。
【００１５】
実施形態において、上記耳あてバンド部材１０及び耳あてカップ部材２０は、いずれもプラスチックの成型品である。また、実施形態においては、耳あてカップ部材２０に保温カバー３０を被覆しているが、耳あてバンド部材１０にも保温カバーを被覆することができるものである。
【００１６】
図２〜図６において、上記耳あてバンド部材１０は、１本の主バンド体１０１と、２本の副バンド体１０２とからなり、主バンド体１０１の自由端に、副バンド体１０２が摺動自在に結合されており、副バンド体１０２の摺動位置を適宜選択することにより、耳あてバンド部材１０の全体の長さ調整が可能となるものである（図２，図３）。
【００１７】
上記主バンド体１０１には、いずれも、先端位置にバンドの長さ方法に延びる調整ガイド溝１１０が形成されており、該調整ガイド溝１１０は、主バンド体１０１の端縁近傍にまで達している。また、調整ガイド溝１１０が形成されている部分を横断する空間の形状が片仮名の「エ」字を呈するように、主バンド体１０１の表面側に、調整ガイド溝１１０が中央部に配設された表面調整窪み１１１を形成し（図４）、バンド主体１０１の裏面側に、調整ガイド溝１１０が中央部に配設された裏面調整窪み１１２を形成し（図５）、これにより、当該調整ガイド溝１１０の断面形状を階段状に形成している。なお、裏面調整窪み１１２は、調整ガイド溝１１０を越えて主バンド体１０１の裏面端縁部にまで達している。
【００１８】
上記副バンド体１０２の基端部表面に係合用突起１２０が設けられており、該係合用突起１２０は、頂部に軸部よりも大径な係合頭部１２１が形成されていて、上記係合用突起１２０を調整ガイド溝１１０に係合して主バンド体１０１と副バンド体１０２を摺動自在に結合している。なお、副バンド体１０２は、主バンド体１０１の調整ガイド溝１１０が形成されている位置で主バンド体１０１の裏面側に重合させるものであるから、副バンド体１０２の幅寸法は、裏面調整窪み１１２の幅と一致させている。
【００１９】
上記係合用突起１２０が、主バンド体１０１の調整ガイド溝１１０に係合されると、係合用突起１２０の表面側は係合頭部１２１が調整ガイド溝１１０の表面調整窪み１１１に係合され、また、裏面側は副バンド体１０２が裏面調整窪み１１２に係合されるので、主バンド体１０１と副バンド体１０２とは、長さ方向には自由に摺動するが両者の係合状態は維持されている（図６）。
【００２０】
実施形態において、主バンド体１０１と副バンド体１０２を結合するには、係合用突起１２０を主バンド体１０１の裏面調整窪み１１２から調整ガイド溝１１０内に押し込む。耳あてバンド部材１０はプラスチック製であるから、係合用突起１２０の係合頭部１２１が調整ガイド溝１１０よりも若干大きく形成されているが、係合用突起１２０を調整ガイド溝１１０内に強く押し込むと、係合頭部１２１が調整ガイド溝１１０を押し広げて溝内に進入し、その後両者は係合状態が維持され脱落しないように係合される。
【００２１】
上記係合用突起１２０は、主バンド体１０１と副バンド体１０２を摺動自在に結合するものであるから、係合頭部１２１は実施形態に示した断面形状に限らず、フランジ形状であって調整ガイド溝１１０の溝幅よりも若干大きく形成されていれば十分である。
【００２２】
上記副バンド体１０２の係合用突起１２０が主バンド体１０１の調整ガイド溝１１０に係合されると、両者が摺動自在に結合されて耳あてバンド部材１０が形成されるので、副バンド体１０２をバンドの長さ方向に移動し、副バンド体１０２の摺動位置を適宜の位置に選択することで耳あてバンド部材１０の全体の長さ調整が可能となる。
【００２３】
保温カバー３０が被覆されたカップ部材２０を人の耳部にフィットさせるために、主バンド体１０１は、バンド体の頂部近傍の厚みを他の部分よりも若干薄く形成した薄肉部１０１ａを形成している。因みに、主バンド体１０１の最も厚い部分は４．０ｍｍであり、最も薄い部分は３．２ｍｍとした。
【００２４】
上記主バンド体１０１の頂部近傍に形成した薄肉部１０１ａは、耳あてバンド部材１０の先端部（耳あてカップ部材２０）を互いに装置の中心に向って付勢させるスプリング効果を発揮するものである。
【００２５】
図７，図８において、上記耳あてカップ部材２０は、断面形状が椀状を呈しており、周縁部内側に副バンド体１０２の先端を回動自在に結合するヒンジ軸２００を設けたものである。また、上記副バンド体１０２の先端には、バンド部材の長手方向に直交する方向のヒンジ軸連結環１３０が設けられ、上記ヒンジ軸２００が当該ヒンジ軸連結環１３０に回動自在に結合される。
【００２６】
実施形態において、副バンド体１０２のヒンジ軸連結環１３０には、軸方向に沿うヒンジ軸挿入溝１３１が形成されている。なお、ヒンジ軸挿入溝１３１は、耳あてカップ部材２０ヒンジ軸２００の直径よりも狭く形成されている。
【００２７】
耳あてカップ部材２０のヒンジ軸２００と副バンド体１０２のヒンジ軸連結環１３０を結合する時は、ヒンジ軸２００にヒンジ軸挿入溝１３１を合わせ、ヒンジ軸連結環１３０にヒンジ軸２００を圧入する。ヒンジ軸連結環１３０を含む副バンド体１０２は、プラスチック製であるから、ヒンジ軸挿入溝１３１に強い力が加わると、当該溝が一時的に広がり環体内部にヒンジ軸２００が挿入可能となる。ヒンジ軸連結環１３０内にヒンジ軸２００が挿入されることにより、耳当てバンド部材１０と耳あてカップ部材２０とはヒンジ軸２００を枢軸として回動自在となる。
【００２８】
上記耳あてカップ部材２０には、副バンド体１０２の取付け位置の近傍に、保温カバー３０をカップ内に挿入するための保温カバー挿入口２１０が形成されている。また、耳あてカップ部材２０には複数個の透孔２２０が設けられている。透孔２２０は、耳当て保温装置を装着した時に音を通過させることができ、人が耳あて保温装置を装着したときに外部からの音を聞き取り易くするものである。
【００２９】
また、保温カバー３０は、保温効果が高い布地で形成されるものであり、一端が開口された袋状に縫製しておき、耳あてカップ部材２０を被覆した後、開口部分を上記保温カバー挿入口２１０から耳あてカップ部材２０内に差し込んでおくものである。
【００３０】
本発明は上記のような構成であるから、耳あて保温装置１を組立てるには、主バンド体１０１の先端に副バンド体１０２を接合し、調整ガイド溝１１０に副バンド体１０２の係合突起１２０を押し込み、当該調整ガイド溝１１０に係合突起１２０を摺動自在に係合して主バンド体１０１と副バンド体１０２を結合して耳あてバンド部材１０を形成する。ここで、副バンド体１０２は、主バンド体１０１の裏面に形成した裏面調整窪み１１２内に収容されるから、主バンド体１０１の屈曲内側面と副バンド体１０２との間に段差が生じることがなく、人の頭部に直接被る耳あてバンド部材１０は違和感なく装着することができるものとなる。
【００３１】
なお、副バンド体１０２の係合用突起１２０を係合する調整ガイド溝１１０が、表面調整窪み１１１内に形成されているから、係合用突起１２０を表面調整窪み１１１内に係合した際、突起の頂部が主バンド体１０１から突出することがなく、バンド部材の表面側も平坦に形成され体裁がよいものとなる。
【００３２】
なお、予め、副バンド体１０２の先端には耳あてカップ部材２０を回動自在に結合しておく。副バンド体１０２の先端に設けたヒンジ軸連結環１３０には、軸方向に沿うヒンジ軸挿入溝１３１が形成されているので、当該ヒンジ軸挿入溝１３１を耳あてカップ部材２０のヒンジ軸２００に当接し、強い力でヒンジ軸連結環１３０内にヒンジ軸２００を押し込む。なお、ヒンジ軸連結環１３０はプラスチック製であるから、ヒンジ軸２００にヒンジ軸挿入溝１３１を強い力で押し当てると、ヒンジ軸挿入溝１３１が僅かに開いてヒンジ軸２００の進入を許すことになり、ヒンジ軸２００とヒンジ軸連結環１３０とは回動自在に結合される。
【００３３】
耳あて保温装置１は、頭の頂部から被り、耳あてカップ部材２０は内側となる平坦面を人の耳部に当接する。この時、耳あてカップ部材２０が正しく耳部に当接されていない場合は、主バンド１０１に対して副バンド体１０２を摺動してバンド部材１０の全体の長さを調整する。主バンド１０１と副バンド体１０２は、主バンド１０１に設けた調整ガイド溝１１０に副バンド体１０２の係合用突起１２０が摺動自在に結合されているから、副バンド１０２を主バンド体１０１に沿って摺動させるだけで耳あてバンド部材１０の全体の長さ調整が可能となる。
【００３４】
図８を参照して、耳あてカップ部材２０は、カップ部材の開口縁部が副バンド体１０２に係合するものであるから、耳あて保温装置１が人の頭部に装着された場合、すなわち、耳あてカップ部材２０にカップ部材を押し広げる方向の力が加わると、耳あてカップ部材２０の開口縁部２０ａに副バンド体１０２が係合し、耳あてカップ部材２０は反時計方向の回動が阻止されることになる。ここで、耳あてカップ部材２０の自由端に、カップ部材を押し広げる力の反力が人の耳部を押圧する力となって発生し、耳あて保温装置は適度の押圧力で人の耳部にフィットさせることができるものとなる。
【００３５】
本発明においては、耳あてカップ部材２０の自由端に人の耳部を適度な力の押圧力が発生するものであるから、従来構造と比べて耳あて保温装置の使い勝手が良いものになることの効果を奏するものである。
【符号の説明】
【００３６】
１  耳あて保温装置
１０  耳あてバンド部材
１０１  主バンド体
１０２  副バンド体
１１０  調整ガイド溝
１１１  表面調整窪み
１１２  裏面調整窪み
１２０  係合用突起
１２１  係合頭部
１３０  ヒンジ軸連結環
１３１  ヒンジ軸挿入溝
２０  耳あてカップ部材
２００  ヒンジ軸
２１０  保温カバー挿入口
３０  保温カバー
【図１】
2012034938.tif 000003
【図２】
2012034938.tif 000004
【図３】
2012034938.tif 000005
【図４】
2012034938.tif 000006
【図５】
2012034938.tif 000007
【図６】
2012034938.tif 000008
【図７】
2012034938.tif 000009
【図８】
2012034938.tif 000010